(57)【要約】【課題】  施設内の装置から携帯端末を所持したユーザに使い勝手良く情報を提供可能な情報配信システムおよび携帯端末を提供する【解決手段】  映像表示装置と携帯端末とを備えてなる情報配信システムにおいて、携帯端末は、映像表示装置が表示している映像信号に対応した音声信号のチャンネル情報を受信し、このチャンネル情報を用いて、映像表示装置から音声信号を受信する。また、コンテンツ制御装置と映像表示装置とを備えてなる情報配信システムであって、コンテンツ制御装置は、映像表示装置が携帯端末を識別する識別情報を受信した数を示す受信数情報を映像表示装置から受信し、受信数情報を用いて映像表示装置に配信するコンテンツを変更する。【選択図】  図１
2008294778.tif 000002
【特許請求の範囲】
【請求項１】
映像表示装置と携帯端末とを備えてなる情報配信システムであって、
前記映像表示装置は、コンテンツに含まれる映像信号を表示する表示手段と、前記コンテンツに含まれる音声信号を送信する音声信号送信手段と、前記音声信号送信手段が音声信号を送信するチャンネルを示すチャンネル情報を送信するチャンネル情報送信手段と、を備え、
前記携帯端末は、前記チャンネル情報送信手段から送信されたチャンネル情報を受信するチャンネル情報受信手段と、音声信号を受信する音声信号受信手段と、前記音声信号受信手段により受信された音声信号を出力する音声出力手段と、前記チャンネル情報受信手段と前記音声信号受信手段と前記音声出力手段とを制御する制御手段と、を備え、
前記制御手段は、前記チャンネル情報受信手段により受信したチャンネル情報を用いて、前記音声信号送信手段により送信された音声信号を受信するように前記音声信号受信手段を制御することを特徴とする情報配信システム。
【請求項２】
コンテンツ制御装置と映像表示装置とを備えてなる情報配信システムであって、
前記映像表示装置は、前記コンテンツ制御装置から送信されたコンテンツを受信するコンテンツ受信手段と、前記コンテンツ受信手段により受信されたコンテンツに含まれる映像信号を表示する表示手段と、前記コンテンツに含まれる音声信号を送信する音声信号送信手段と、前記音声信号送信手段が音声信号を送信するチャンネルを示すチャンネル情報を携帯端末に送信するチャンネル情報送信手段と、前記携帯端末から前記携帯端末を識別する識別情報を受信する識別情報受信手段と、前記識別情報受信手段により識別情報を受信した携帯端末の数を検出する検出手段と、前記検出手段により検出した携帯端末の数に関する受信数情報を前記配信コンテンツ制御装置に送信する送信手段と、を備え、
前記コンテンツ制御装置は、前記映像表示装置にコンテンツを配信するコンテンツ配信手段と、前記映像表示装置から前記受信数情報を受信する受信手段と、前記受信手段により受信した受信数情報を用いて前記映像表示装置に配信するコンテンツを変更するように前記コンテンツ配信手段を制御する制御手段と、を備えることを特徴とする情報配信システム。
【請求項３】
請求項２に記載の情報配信システムは、前記映像表示装置を複数有し、
前記複数の映像表示装置は第１の映像表示装置および第２の映像表示装置を含み、前記第１の映像表示装置から送信された前記受信数情報が所定の閾値以上であり、前記第１の映像表示装置から送信された前記受信数情報が所定の閾値未満である場合、前記制御手段は前記第１の映像表示装置に送信していたコンテンツと同様のコンテンツを前記第２の映像表示装置にも配信するように前記コンテンツ配信手段を制御することを特徴とする情報配信システム。
【請求項４】
請求項１ないし３のいずれかに記載の情報配信システムにおいて、前記チャンネル情報送信部は前記表示部から所定の範囲に指向性を持って前記チャンネル情報を送信することを特徴とする情報配信システム。
【請求項５】
コンテンツに含まれる映像信号を表示する表示手段と、前記コンテンツに含まれる音声信号を送信する音声信号送信手段と、前記音声信号送信手段が音声信号を送信するチャンネルを示すチャンネル情報を送信するチャンネル情報送信手段とを備えてなる映像表示装置から音声信号を受信可能な携帯端末であって、
前記チャンネル情報送信手段から送信されたチャンネル情報を受信するチャンネル情報受信手段と、
音声信号を受信する音声信号受信手段と、
前記音声信号受信手段により受信された音声信号を出力する音声出力手段と、
前記チャンネル情報受信手段と前記音声信号受信手段と前記音声出力手段とを制御する制御手段と、を備え、
前記制御手段は、前記チャンネル情報受信手段により受信したチャンネル情報を用いて、前記音声信号送信手段により送信された音声信号を受信するように前記音声信号受信手段を制御することを特徴とする携帯端末。
【請求項６】
音声信号のチャネル情報を受信し、前記チャネルで送信される音声信号を受信再生する手段を備える携帯端末と、
前記携帯端末との間で音声信号チャネル情報を送受信する音声信号チャネル情報送受信手段と
配信コンテンツを受信するコンテンツ受信手段と
前記コンテンツ受信手段で受信したコンテンツ中の音声信号を前記音声信号チャネル情報送受信手段から送信されるチャネルで送信する音声信号送信手段と
前記コンテンツ受信手段で受信したコンテンツ中の映像信号を復号表示する映像信号復号表示手段とを備える車内映像表示装置と、
から構成されることを特徴とする携帯端末を用いた情報配信システム。
【請求項７】
請求項６記載の情報配信システムにおいて、前記携帯端末で受信する音声信号はFM信号で送信され、そのチャネル情報がFMの周波数であることを特徴とする携帯端末を用いた情報配信システム。
【請求項８】
請求項６記載の携帯端末を用いた情報配信システムにおいて、前記携帯端末で受信する音声信号はBluetoothあるいは無線LANで送信され、そのチャネル情報が識別コードであることを特徴とする携帯端末を用いた情報配信システム。
【請求項９】
音声信号のチャネル情報を受信し、前記チャネルで送信される音声信号を受信再生する手段を備える携帯端末と、
前記携帯端末との間で音声信号チャネル情報の送信及び、携帯端末の固有情報を受信する音声信号チャネル情報送受信手段と
配信コンテンツを受信するコンテンツ受信手段と
前記コンテンツ受信手段で受信したコンテンツ中の音声信号を前記音声信号チャネル情報送受信手段から送信されるチャネルで送信する音声信号送信手段と
前記コンテンツ受信手段で受信したコンテンツ中の映像信号を復号表示する映像信号復号表示手段とを備える車内映像表示装置と、
前記車内映像表示装置の音声信号送信手段から送信される音声信号を受信しているユーザ数を管理する受信ユーザ数管理手段と
前記受信ユーザ数管理手段で管理されているユーザ数に従い車内映像表示装置に配信するコンテンツを切り替えるコンテンツ制御手段とを備える配信コンテンツ制御装置と、
から構成されることを特徴とする携帯端末を用いた情報配信システム。
【請求項１０】
請求項９記載の携帯端末を用いた情報配信システムにおいて、前記音声信号チャネル情報送受信手段で受信する携帯端末の固有情報が前記携帯端末の電話番号あるいは電子メールアドレスあるいはMACアドレスあるいは製造番号であることを特徴とする携帯端末を用いた情報配信システム。
【発明の詳細な説明】
【技術分野】
【０００１】
本発明は、情報を提供可能な情報配信システムおよびこれに用いられる携帯端末に関する。
【背景技術】
【０００２】
特許文献１に、中央サーバと各列車の車内サービス端末または乗客の携帯電話との間で、無線交換網を通して音声、画像、制御情報のうち、いずれか１つ以上の通信を可能にする乗客用情報交換システムが開示されている。このシステムでは、中央サーバは、乗客の携帯電話の釦操作による緊急事態の通報またはサービス要求に対して携帯電話に音声等で応答しながら受け付け、乗客の通報またはサービス要求に応じたデータを編集し、さらに必要により放送データを合成して車内サービス端末またはサービス要求した乗客の携帯電話へ送信する。
【０００３】
【特許文献１】特開２００５−３５２５２５号公報
【発明の開示】
【発明が解決しようとする課題】
【０００４】
特許文献１には、乗客が携帯電話から簡単な番号入力で緊急事態を通報またはサービス要求でき、乗客は音声による通話を不要にすることが記載されているが、電車などの施設に設置された装置から、携帯端末を所持したユーザに映像信号と音声信号を含む情報をいかにユーザの使い勝手良く提供するかについては記載されていない。
【０００５】
本発明は、施設内の装置から携帯端末を所持したユーザに使い勝手良く情報を提供可能な情報配信システムおよび携帯端末を提供することを目的とする。
【課題を解決するための手段】
【０００６】
映像表示装置と携帯端末とを備えてなる情報配信システムにおいて、携帯端末は、映像表示装置が表示している映像信号に対応した音声信号のチャンネル情報を受信し、このチャンネル情報を用いて、映像表示装置から音声信号を受信する。また、コンテンツ制御装置と映像表示装置とを備えてなる情報配信システムであって、コンテンツ制御装置は、映像表示装置が携帯端末を識別する識別情報を受信した数を示す受信数情報を映像表示装置から受信し、受信数情報を用いて映像表示装置に配信するコンテンツを変更する。
【発明の効果】
【０００７】
施設内の装置から携帯端末を所持したユーザに使い勝手良く情報を提供可能な情報配信システムおよび携帯端末を提供することができる。
【発明を実施するための最良の形態】
【０００８】
図１は、車内情報配信システムの構成例を示す図である。携帯端末１は、例えば携帯電話やポータブルＰＣ（Personal Computer）などであり、車内の乗客により所持される。車内映像表示装置２は、電車内に設置され、モニタに映像を表示して、乗客に情報を提供するものである。なお、車内映像表示装置２は、電車内の車両毎に複数設置されているものとする。
【０００９】
以下、車内映像表示装置２に表示されている映像信号にリンクした音声信号を携帯端末１から出力する方法について説明する。
【００１０】
携帯端末１は、例えば30秒おきに車内映像表示装置２からの信号を音声信号ch（channel）情報送受信部１０１によりサーチしており、車内映像表示装置２が設置された車両に携帯端末１を所持したユーザが乗り込み、車内映像表示装置２からの信号を受信すると、音声信号ch情報送受信部２０１と音声信号ch情報送受信部１０１との間でハンドシェークを実施する。なお、車内映像表示装置２から信号を受信したかどうかのサーチは、音声信号ch情報送受信部１０１に限らず、他の受信部により行うようにしても良い。また、信号サーチは、携帯端末１のユーザから信号サーチの指示が入力された場合や、改札機等のゲートを通過したことを検出した場合や、位置情報により駅などの特定の施設にいることを検出した場合に開始することが望ましい。このように、信号サーチを常時行うのではなく、ユーザの指示等を契機に信号サーチを行うようにすることにより、電力消費を抑制することができる。
【００１１】
そして、音声信号ch情報送受信部１０１は車内映像表示装置２が音声信号を送信している周波数など、携帯端末１で音声信号を受信するための音声信号ch情報を受信する。なお、音声信号ch情報は、車内映像表示装置２のモニタを見ることが可能であると想定される範囲、例えば１２０度の範囲に指向性を持って情報を配信する通信方式により送信される。このような通信方式の例として、IrDA（Infrared Data Association）を含む赤外線通信があり、特定小電力による電波方式で特定エリア内で用いられる通信方式の例としては、Bluetooth（登録商標）、あるいは無線LAN(IEEE802.11)などがあげられる。
【００１２】
また、音声信号送信部２０３は音声信号をFM放送やBluetooth、無線LANなどで送信する。音声信号ch情報は、例えば音声信号がFM放送で送信される場合にはその周波数であり、音声信号がBluetoothや無線LANにより送信される場合にはそのパケットIDである。この音声信号ch情報は、音声信号ch情報送受信部２０１により生成される。なお、音声信号ch情報は、音声信号ch情報送受信部２０１により生成するものに限らず、コンテンツ受信部２０２が配信コンテンツ制御装置３から受信したコンテンツに付随して送信された情報であっても良い。ここで、コンテンツには、映像信号と音声信号が含まれているものとする。
【００１３】
音声信号ch情報送受信部２０１は、携帯端末１の音声信号ch情報送受信部１０１からの要求を受信すると、音声信号ch情報送受信部１０１に音声信号ch情報を送信する。
【００１４】
音声信号ch情報送受信部１０１は、受信した音声信号ch情報を制御部１０２に送信する。制御部１０２は、この音声信号ch情報に応じて、音声信号がFM信号で送信される場合にはその周波数を、Bluetoothや無線LANで送信する場合にはそのパケットIDを、音声信号受信部１０３に設定する。
【００１５】
コンテンツ受信部２０２は、受信したコンテンツの音声信号を音声信号送信部２０３に、映像信号を映像信号復号表示部２０４に転送する。音声信号送信部２０３は、コンテンツ受信部２０２からの制御に従い、音声信号を送信する。例えば、FM信号で送信する場合には、音声信号音声信号ch情報で通知した周波数に音声信号を変調して送信する。また、Bluetoothや無線LANで送信する場合には音声信号のIDを付加して信号を送信する。
【００１６】
音声信号受信部１０３は、受信した音声信号を音声信号復号部１０４に送信する。音声信号復号部１０４は音声信号を復号し、音声信号出力部１０５を介してヘッドホン１０６から音声信号を出力する。
【００１７】
このように、携帯端末１において、音声信号ch情報を受信することにより、ユーザが音声を聞くことができる周波数に調整するなどの操作をすることなしに、車内映像表示装置２のモニタに表示されている映像信号とリンクした音声信号を携帯端末で聴くことができ、携帯端末のユーザの使い勝手を向上することができる。
【００１８】
また、この音声信号ch情報はモニタを見ることが可能であると想定される範囲に指向性を持って配信されているため、モニタを見ることができないにもかかわらず、音声信号が出力されてしまうことを防止することができる。なお、携帯端末１の正面が車内映像表示装置２の方向を向いている場合に、携帯端末１のユーザが車内映像表示装置２のモニタを見ている可能性が高いとして、携帯端末１の正面に音声信号ch情報送受信部１０１を設け、携帯端末１の正面が車内映像表示装置２の方向を向いている場合に音声信号ch情報を受信できるようにしても良い。但し、携帯端末１のユーザがモニタの方向を見ているにも関わらず、携帯端末１を鞄の中やポケットに入れている場合等があるため、ヘッドホン１０６が有線型ヘッドホンである場合にはリモコン部分や、無線型ヘッドホンである場合には無線信号送受信部分に音声信号ch情報の送受信部を搭載することにより、ユーザがモニタ画面を見ている可能性が高い場合に、音声信号を出力することができる。
【００１９】
以上説明したように、本システムによれば、ユーザ操作なしに車内映像表示装置２に表示されている映像信号にリンクした音声信号を携帯端末１で受信することができ、ユーザの使い勝手を向上することができる。なお、携帯端末１でユーザが例えば現在音楽を聴いているなど、車内映像表示装置２に表示されている映像信号にリンクした音声信号への切り替えを希望しない場合がある。そのため、あらかじめ切り替えの可否を設定できるようにすることが望ましい。このような設定を設けることにより、ユーザの意思に反して音声信号が切り替えられてしまうことを防止することができる。
【００２０】
図２は、携帯端末１において車内映像表示装置２に表示されている映像信号に対応した音声信号を出力する手順の一例を示したフローチャートである。この処理は、携帯端末１の記憶部（図示せず）に記憶されたプログラムに基づき、制御部１０２により実行される。
【００２１】
携帯端末１を所持したユーザが車内映像表示装置２が設置された車両に乗車し、車内映像表示装置２からの応答を受信すると（ステップS１０１）、制御部１０２は処理を開始する。
【００２２】
ステップＳ１０２にて、音声信号ch情報送受信部１０１は、音声信号ch情報送受信部２０１との間でのハンドシェーク終了後に、車内映像表示装置２が送信している音声信号ch情報の送信要求を音声信号ch情報送受信部２０１へ送信する。音声信号ch情報送受信部１０１は音声信号ch情報を受信し、受信した音声信号ch情報を制御部１０２に送信する（ステップS１０３）。制御部１０２は以前に音声信号ch情報送受信部１０１から受信した音声信号ch情報を記憶しており、現在の音声信号ch情報と記憶した音声信号ch情報とを比較し（ステップS１０４）、変更があればステップＳ１０５へ、変更がなければステップＳ１０６へ進む。
【００２３】
ステップＳ１０５にて、制御部１０２は、音声信号受信部１０３に対して音声信号受信ch切り替え処理を行う。切り替え処理とは、前述のように、音声信号ch情報に応じて、音声信号がFM信号で送信される場合にはその周波数を、Bluetoothや無線LANで送信する場合にはそのパケットIDを、音声信号受信部１０３に設定することである。
【００２４】
ステップＳ１０６にて、音声信号受信部１０３は、受信した音声信号を音声信号復号部１０４に送信する。ステップＳ１０７にて、音声信号復号部１０４は、音声信号を復号する。ステップＳ１０８にて、音声信号出力部１０５を介してヘッドホン１０６から、音声信号復号部１０４で復号された音声信号を出力する。
【００２５】
その後ステップＳ１０２に戻り、一連の処理を繰り返す。このように、定期的に音声信号ch情報を受信比較することにより、携帯端末１のユーザが位置を移動し、他の車内映像表示装置のモニタを見始めた場合であっても、ユーザが変更操作を行うことなく、見ている映像信号にリンクした音声信号を受信することができる。
【００２６】
図３は、車内情報配信システムの他の構成例を示す図である。図３において図１と同様の構成要素には同符号を付し、説明を省略する。図３を用いて、複数の車内映像表示装置が設置されている車内において、１つの車内映像表示装置の周辺に携帯端末を所持したユーザが集中している場合に、集中状態を緩和する方法について説明する。
【００２７】
車内映像表示装置２が設置された車両に、携帯端末１を所持したユーザが乗り込むと、音声信号ch情報送受信部２０１と音声信号ch情報送受信部１０１との間でハンドシェークを実施する。この際、音声信号ch情報送受信部１０１は、携帯端末１の電話番号、製造番号、電子メールアドレス、MACアドレスなど、各携帯端末固有のID情報を、音声信号ch情報送受信部２０１へ送信する。
【００２８】
音声信号ch情報送受信部２０１は、受信したID情報を用いて、音声信号を受信している携帯端末の数を識別し、携帯端末数を受信ユーザ数として受信ユーザ数管理部３０１へ送信する。第２の車内映像表示装置４および第３の車内映像表示装置５も、車内映像表示装置２と同様の構成を備え、携帯端末からID情報を受信し、配信中の音声信号を受信している携帯端末数を受信ユーザ数管理部３０１に送信する。
【００２９】
受信ユーザ数管理部３０１は、車内映像表示装置毎の受信ユーザ数を、例えば２０人などの所定の閾値と比較する。このように、受信ユーザ数を閾値と比較することにより、ラッシュにより混雑しているのか局所集中しているのかを判断することができる。閾値以上の受信ユーザ数である車内映像表示装置がある場合、受信ユーザ数管理部３０１は、閾値以上の受信ユーザ数である車内映像表示装置の中で最も人数の多い装置と、閾値未満の受信ユーザ数である車内映像表示装置の中から最も人数の少ない装置とを抽出する。コンテンツ制御部３０２は、コンテンツ記録部３０３及びコンテンツ配信部３０４を制御し、最も受信ユーザ数が少ない車内映像表示装置に配信するコンテンツを、最も受信ユーザ数が多い車内映像表示装置で配信されていたコンテンツに変更する。
【００３０】
このように、受信ユーザ数が最も多い車内映像表示装置に配信されているコンテンツを、受信ユーザ数が最も少ない車内映像表示装置に切り替えて配信することにより、人気コンテンツが表示されていることにより発生した局所的な混雑を緩和することが出来る。また、乗客の乗降によって、人気のあるコンテンツが変化する場合があるため、以上の制御を、例えば１０分間毎などの所定間隔ごとに繰り返すことが好ましい。なお、以上の説明では、最大ユーザ数の装置で表示されているコンテンツを最小ユーザ数の装置へ切り替えて配信しているが、最大ユーザ数の装置と最小ユーザ数の装置に限定するものではなく、受信ユーザ数が閾値以上および未満である複数の装置でコンテンツ配信の切り替えを行うようにしても良い。このようにすることにより、更に混雑を緩和することができる。
【００３１】
図４は、以上説明した集中状態緩和制御を行う際の配信コンテンツ制御装置と車内映像表示装置における情報送受信手順の一例を示したフローチャートである。
【００３２】
ステップＳ２０１にて、音声信号ch情報送受信部２０１は、音声信号ch情報送受信部１０１との間でハンドシェークの際、音声信号を受信している携帯端末数の識別を行うため、携帯端末１にID情報の送信を要求する。ステップＳ２０２にて、音声信号ch情報送受信部２０１は、受信したID情報により、受信ユーザ数を検出する。ステップＳ２０３にて、音声信号ch情報送受信部２０１は、検出した受信ユーザ数を受信ユーザ管理部３０１に送信する。
【００３３】
ステップＳ２０４にて、受信ユーザ数管理部３０１は、車内映像表示装置毎の受信ユーザ数を閾値と比較する。なお、この際、閾値以上の受信ユーザ数である車内映像表示装置が複数ある場合には、その中で最も人数の多い装置を抽出する。閾値以上の車内映像表示装置が存在する場合はステップＳ２０５へ、閾値以上の車内映像表示装置が存在しない場合には、ステップＳ２０１へ進む。
【００３４】
ステップＳ２０５にて、受信ユーザ数管理部３０１は、受信ユーザ数が閾値未満の車内映像表示装置があるかどうか判定し、閾値未満の車内映像表示装置が存在する場合はステップＳ２０６へ、閾値未満の車内映像表示装置が存在しない場合には、ステップＳ２０１へ進む（Ｓ２０７）。
【００３５】
ステップＳ２０６にて、コンテンツ制御部３０２は、コンテンツ記録部３０３及びコンテンツ配信部３０４を制御し、最も受信ユーザ数が少ない車内映像表示装置に配信するコンテンツを、最も受信ユーザ数が多い車内映像表示装置で配信されていたコンテンツに変更する。その後ステップＳ２０１に遷移し（Ｓ２０７）、一連の動作を繰り返す。
【００３６】
以上、映像表示装置が電車内に設置されている場合を例に情報配信システムを説明したが、本システムを利用を電車内に限定するものではなく、例えば製品などを紹介する展示場など、他の施設で用いても良い。
【図面の簡単な説明】
【００３７】
【図１】車内情報配信システムの構成例を示す図である。
【図２】携帯端末において車内映像表示装置に表示されている映像信号に対応した音声信号を出力する手順の一例を示したフローチャートである。
【図３】車内情報配信システムの構成例を示す図である。
【図４】配信コンテンツ制御装置と車内映像表示装置における情報送受信手順の一例を示したフローチャートである。
【符号の説明】
【００３８】
１…携帯端末、１０１…音声信号ch情報送受信部、１０２…制御部、１０３…音声信号受信部、１０４…音声信号復号部、１０５…音声出力部、１０６…ヘッドホン、２…車内映像表示装置、２０１…音声信号ch情報送受信部２０１、２０２…コンテンツ受信部、２０３…音声信号送信部、２０４…映像信号復号表示部、３…配信コンテンツ制御装置、３０１…受信ユーザ数管理部、３０２…コンテンツ制御部、３０３…コンテンツ記録部、３０４…コンテンツ配信部、４…第２の車内映像表示装置、５…第３の車内映像表示装置
【図１】
2008294778.tif 000003
【図２】
2008294778.tif 000004
【図３】
2008294778.tif 000005
【図４】
2008294778.tif 000006